(57)【要約】【課題】電池交換の煩わしさを解消できると共に水の侵入を十分に防止することができる水中用温度計を提供する。【解決手段】この発明の光発電型水中用温度計１は、水温センサと、少なくとも前面の一部が透明の収容ケース２と、ケース２内に配置された光電池パネル４と、ケース２内に配置され、水温センサにより測定された水温を表示する温度表示部５と、水槽の側壁の内面に着脱自在に止着し得る止着手段６と、を備えてなり、収容ケース２が止着手段６を介して水槽の側壁の内面に止着された状態時において、光電池パネル４の受光面と水槽の側壁内面とがなす角度（鋭角又は直角）を「α」とし、温度表示部５の表示面と水槽の側壁内面とがなす角度（鋭角）を「β」としたとき、０°＜α≦９０°、０°＜β≦８０°の２つの関係式が成立するように構成されていることを特徴とする。【選択図】図１
2008295421.tif 000002
【特許請求の範囲】
【請求項１】
水温センサと、
少なくとも前面の一部が透明である収容ケースと、
前記収容ケース内における該ケースの前面側から見える位置に配置された光電池パネルと、
前記収容ケース内における該ケースの前面側から見える位置に配置され、前記水温センサにより測定された水温を表示する温度表示部と、
水槽の側壁の内面に着脱自在に止着し得る止着手段と、を備え、
前記収容ケースが前記止着手段を介して水槽の側壁の内面に止着された状態時において、前記温度表示部の表示面は、下から上に向けて止着壁面から遠ざかる傾斜面になるように構成されると共に、前記光電池パネルの受光面と前記水槽の側壁内面とがなす角度（鋭角又は直角）を「α」とし、前記温度表示部の表示面と前記水槽の側壁内面とがなす角度（鋭角）を「β」としたとき、
０°＜α≦９０°      …式（Ｓ１）
０°＜β≦８０°      …式（Ｓ２）
の２つの関係式が成立するように構成されていることを特徴とする光発電型水中用温度計。
【請求項２】
５°≦α≦６０°      …式（Ｓ３）
５°≦β≦６０°      …式（Ｓ４）
α＝β                …式（Ｓ５）
の３つの関係式が成立するように構成されていることを特徴とする請求項１に記載の光発電型水中用温度計。
【請求項３】
１５°≦α≦９０°      …式（Ｓ６）
０°＜β≦６０°        …式（Ｓ７）
α＞β                  …式（Ｓ８）
の３つの関係式が成立するように構成されていることを特徴とする請求項１に記載の光発電型水中用温度計。
【請求項４】
前記止着手段は、前記収容ケースの下方側に設けられている請求項１〜３のいずれか１項に記載の光発電型水中用温度計。
【請求項５】
前記止着手段は、樹脂製の吸盤体を備えている請求項１〜４のいずれか１項に記載の光発電型水中用温度計。
【請求項６】
前記光電池パネルは、前記温度表示部の上方側に配置されている請求項１〜５のいずれか１項に記載の光発電型水中用温度計。
【発明の詳細な説明】
【技術分野】
【０００１】
この発明は、例えば、観賞魚用水槽等の水槽の側壁の内面に取り付けて使用される水中用温度計に関する。
【背景技術】
【０００２】
従来、水中用温度計としては、水温を測る水温センサと、該水温センサにより測定された水温を表示する水温表示部とを備えた構成のものが公知であり（特許文献１参照）、観賞魚水槽用の水中用温度計としてはその電源として電池が用いられたものが知られている。
【特許文献１】特開２００１−１８６８３３号公報
【発明の開示】
【発明が解決しようとする課題】
【０００３】
しかしながら、上記電池式水中用温度計では、電池を定期的に交換しなければならず、電池交換の手間が煩わしいという問題があった。更に、電池を取り替えるための開閉蓋を設ける必要があるが、このような開閉蓋があるとこの部分の隙間から水が入り込みやすいので、水の侵入による故障等のトラブルを生じやすいという問題があった。
【０００４】
この発明は、かかる技術的背景に鑑みてなされたものであって、電池交換の煩わしさを解消できると共に水の侵入を十分に防止することができる水中用温度計を提供することを目的とする。
【課題を解決するための手段】
【０００５】
前記目的を達成するために、本発明は以下の手段を提供する。
【０００６】
［１］水温センサと、
少なくとも前面の一部が透明である収容ケースと、
前記収容ケース内における該ケースの前面側から見える位置に配置された光電池パネルと、
前記収容ケース内における該ケースの前面側から見える位置に配置され、前記水温センサにより測定された水温を表示する温度表示部と、
水槽の側壁の内面に着脱自在に止着し得る止着手段と、を備え、
前記収容ケースが前記止着手段を介して水槽の側壁の内面に止着された状態時において、前記温度表示部の表示面は、下から上に向けて止着壁面から遠ざかる傾斜面になるように構成されると共に、前記光電池パネルの受光面と前記水槽の側壁内面とがなす角度（鋭角又は直角）を「α」とし、前記温度表示部の表示面と前記水槽の側壁内面とがなす角度（鋭角）を「β」としたとき、
０°＜α≦９０°      …式（Ｓ１）
０°＜β≦８０°      …式（Ｓ２）
の２つの関係式が成立するように構成されていることを特徴とする光発電型水中用温度計。
【０００７】
［２］５°≦α≦６０°      …式（Ｓ３）
５°≦β≦６０°      …式（Ｓ４）
α＝β                …式（Ｓ５）
の３つの関係式が成立するように構成されていることを特徴とする前項１に記載の光発電型水中用温度計。
【０００８】
［３］１５°≦α≦９０°      …式（Ｓ６）
０°＜β≦６０°        …式（Ｓ７）
α＞β                  …式（Ｓ８）
の３つの関係式が成立するように構成されていることを特徴とする前項１に記載の光発電型水中用温度計。
【０００９】
［４］前記止着手段は、前記収容ケースの下方側に設けられている前項１〜３のいずれか１項に記載の光発電型水中用温度計。
【００１０】
［５］前記止着手段は、樹脂製の吸盤体を備えている前項１〜４のいずれか１項に記載の光発電型水中用温度計。
【００１１】
［６］前記光電池パネルは、前記温度表示部の上方側に配置されている前項１〜５のいずれか１項に記載の光発電型水中用温度計。
【発明の効果】
【００１２】
［１］の発明では、光電池パネルを備えているから、太陽光や室内の蛍光灯等の光により電力を供給できるものであり、従来のような電池を取り付ける必要がなく電池を定期的に交換する等の煩わしい作業から解放される。また、電池を取り替えるための開閉蓋（開閉機構）を設ける必要がなく、従って水の侵入を十分に防止することができる。更に、収容ケースが止着手段を介して水槽の側壁の内面に止着された状態時において、温度表示部の表示面は、下から上に向けて当該止着壁面から遠ざかる傾斜面になるように構成されると共に、光電池パネルの受光面と水槽の側壁内面とがなす角度（鋭角又は直角）α及び温度表示部の表示面と水槽の側壁内面とがなす角度（鋭角）βに関し、それぞれ式（Ｓ１）、式（Ｓ２）が成立するように構成されているから、光電池パネルの受光効率が良好であると共に、温度表示部の表示温度（測定温度）も見やすい。
【００１３】
［２］の発明では、収容ケースが止着手段を介して水槽の側壁の内面に止着された状態時において、
５°≦α≦６０°      …式（Ｓ３）
５°≦β≦６０°      …式（Ｓ４）
α＝β                …式（Ｓ５）
の３つの関係式が成立するように構成されており、式（Ｓ３）を満たすことにより光電池パネルの受光効率をより向上させることができ、式（Ｓ４）を満たすことにより温度表示部の表示温度がより見やすいものとなり、また式（Ｓ５）を満たすことにより収容ケースのコンパクト化を図ることができる。
【００１４】
［３］の発明では、収容ケースが止着手段を介して水槽の側壁の内面に止着された状態時において、
１５°≦α≦９０°      …式（Ｓ６）
０°＜β≦６０°        …式（Ｓ７）
α＞β                  …式（Ｓ８）
の３つの関係式が成立するように構成されており、式（Ｓ７）を満たすことにより温度表示部の表示温度がより見やすいものとなると共に、式（Ｓ６）及び式（Ｓ８）を満たすことにより光電池パネルの受光効率を非常に高めることが可能となる。即ち、温度表示部の見やすさを十分に維持しつつ光電池パネルの受光効率を顕著に高めることができる利点がある。
【００１５】
［４］の発明では、止着手段は収容ケースの下方側に設けられているので、光電池パネルへの光の入射が止着手段によって遮られることがなく、光電池パネルの受光効率をより向上させることができるし、温度表示部の視認も止着手段によって遮られることがなく、温度表示部の表示温度がより見やすくなる。
【００１６】
［５］の発明では、止着手段は樹脂製の吸盤体を備えているから、止着手段の水槽への着脱操作が容易であるし、止着力にも優れている。
【００１７】
［６］の発明では、光電池パネルは、温度表示部の上方側に配置されているから、光電池パネルの受光効率をさらに向上させることができる。
【発明を実施するための最良の形態】
【００１８】
この発明に係る光発電型水中用温度計（１）の一実施形態（第１実施形態）を図１〜４に示す。これら図１〜４において、（２）は収容ケース、（３）は水温センサ、（４）は光電池パネル、（５）は温度表示部、（６）は止着手段である。
【００１９】
前記収容ケース（２）は、外形形状が略直方体形状で中空の樹脂製ケースからなり、その前面の少なくとも一部が透明である。本実施形態では、この収容ケース（２）の前面における前記光電池パネル（４）対応領域及び前記温度表示部（５）対応領域が透明であるように構成されている。また、本実施形態では、収容ケース（２）は、前面側半体（２ａ）と背面側半体（２ｂ）とからなり、これらが対向状態に閉じ合わされて周縁部で互いに接着剤で十分にシール接合されており、これにより十分な水密性が確保されているので、水の侵入を十分に防止することができる。
【００２０】
前記収容ケース（２）の内部空間における略上半部の前面側に光電池パネル（４）が配置されている（図１、２、６参照）。この光電池パネル（４）は、略矩形状の板状体であり、その受光面（４ａ）が前面側を向くように配置されている（図６参照）。本実施形態では、前記光電池パネル（４）として太陽電池パネルが用いられている。
【００２１】
また、前記収容ケース（２）の内部空間における略下半部の前面側に温度表示部（５）が配置されている（図１、２、６参照）。この温度表示部（５）は、略矩形状の板状体であり、その表示面（５ａ）が前面側を向くように配置されている（図６参照）。この温度表示部（５）は、前記水温センサ（３）により測定された水温を表示する。本実施形態では、前記温度表示部（５）として液晶表示パネルが用いられている。
【００２２】
前記温度表示部（５）の前面（表示面）（５ａ）と前記光電池パネル（４）の前面（受光面）（４ａ）とは略面一になるように構成されているので、収容ケース（２）をよりコンパクト化することが可能となる。
【００２３】
また、前記収容ケース（２）の内部空間における略下半部の背面側に水温センサ（３）が配置されている（図３、６参照）。この水温センサ（３）の背面側の先端は、前記収容ケース（２）の背面側半体（２ｂ）の内壁面に接着剤を介して接着されており、これにより背面側半体（２ｂ）を介して伝わる水温を測定し得るようになされている。
【００２４】
また、前記収容ケース（２）の内部空間における略下半部の前後方向中間位置（厚さ方向の中間位置）に制御回路部（ＣＰＵ）（８）が配置されている。この制御回路部（８）は、前記光電池パネル（４）から電力供給を受けることによって、前記水温センサ（３）で測定された水温を前記温度表示部（５）の表示面（５ａ）に表示するように制御するものである。
【００２５】
前記収容ケース（２）の底面に下方に向けて突出する取付部（２１）が設けられている。この取付部（２１）は、図４に示すように、前記収容ケース（２）の底面から下方に向けて延ばされた支持軸（２３）と、該支持軸（２３）の先端（下端）に接合された略半環状体（２２）とからなる。前記略半環状体（２２）は、環状リングの下側の一部が切り欠かれた構成を有し、該切り欠き開放部が下側を向くように構成されている。
【００２６】
一方、前記止着手段（６）は、図４に示すように、樹脂製の吸盤体（１１）と、該吸盤体（１１）の背面から背面側に向けて延ばされた短軸状の支持部（１２）とからなる。前記支持部（１２）の外周面には嵌合溝（１３）が形成されている。
【００２７】
しかして、前記止着手段（６）の支持部（１２）の嵌合溝（１３）に、前記収容ケース（２）の底面の取付部（２１）の略半環状体（２２）を嵌まり込み状態に外嵌せしめることによって、前記収容ケース（２）の下方側に前記止着手段（６）が取付固定されている（図１、３、６参照）。
【００２８】
上記構成に係る水中用温度計（１）の水槽（９０）への取り付け状態の一例を図５に示す。前記止着手段（６）の吸盤体（１１）を介して前記水中用温度計（１）を水槽（９０）の側壁（９１）の内面（９１ａ）に止着する。この時、水中用温度計（１）の水温センサ（３）が水槽（９０）内の水に浸漬される高さ位置に止着する。本実施形態では、吸盤体（１１）でもって止着するので、水槽（９０）に対して着脱自在に止着することができる。上記取り付け状態において水中用温度計（１）の光電池パネル（４）の受光面（４ａ）に太陽光や室内の蛍光灯等の光が照射されていれば、この光電池パネル（４）から制御回路部（８）に電力が供給され、これにより温度表示部（５）の表示面（５ａ）に水温センサ（３）で測定された温度が表示される。
【００２９】
この発明に係る光発電型水中用温度計（１）の第２実施形態を図７に示すと共に、該水中用温度計（１）の水槽（９０）への取り付け状態の一例を図８に示す。
【００３０】
この第２実施形態では、図８に示すように、光電池パネル（４）の受光面（４ａ）が、温度表示部（５）の表示面（５ａ）よりも上方側を向くように構成されている点が、前記第１実施形態と異なる。なお、前記第１実施形態と同一の構成部については同一の符号を付してその説明は省略する。
【００３１】
また、この発明に係る光発電型水中用温度計（１）の第３実施形態を図９に示す。この第３実施形態では、光電池パネル（４）の受光面（４ａ）が、前記第２実施形態（図８）よりもより一層上方側に向くように（より一層水平に近くなるように）構成されている点が、前記第２実施形態と異なる。なお、前記実施形態と同一の構成部については同一の符号を付してその説明は省略する。
【００３２】
上記第２及び第３実施形態のような構成を採用すれば、温度表示部（５）の表示面（５ａ）の傾斜角および光電池パネル（４）の受光面（４ａ）の傾斜角をそれぞれ独自に好適な角度に設定できるので、温度表示部（５）の見やすさを確保しつつ光電池パネル（４）の受光効率をより高めることができる利点がある。
【００３３】
しかして、この発明では、収容ケース（２）が止着手段（６）を介して水槽（９０）の側壁の内面（９１ａ）に止着された状態時において、図６、８、９に示すように、温度表示部（５）の表示面（５ａ）は、下から上に向けて当該止着壁面から遠ざかる傾斜面になるように構成されると共に、光電池パネル（４）の受光面（４ａ）と水槽（９０）の側壁内面（９１ａ）とがなす角度（鋭角又は直角）を「α」とし、温度表示部（５）の表示面（５ａ）と水槽（９０）の側壁内面（９１ａ）とがなす角度（鋭角）を「β」としたとき、
０°＜α≦９０°      …式（Ｓ１）
０°＜β≦８０°      …式（Ｓ２）
の２つの関係式が成立するように構成される。このように、温度表示部（５）の表示面（５ａ）が、下から上に向けて止着壁面から遠ざかる傾斜面になるように構成され、かつ式（Ｓ１）及び式（Ｓ２）が成立するように構成されていることで、光電池パネル（４）の受光効率が良好であると共に、温度表示部（５）の表示温度（測定温度）も見やすいものとなる。
【００３４】
中でも、収容ケース（２）が止着手段（６）を介して水槽（９０）の側壁の内面（９１ａ）に止着された状態時において、
５°≦α≦６０°      …式（Ｓ３）
５°≦β≦６０°      …式（Ｓ４）
α＝β                …式（Ｓ５）
の３つの関係式が成立するように構成されるのが好ましい（図６参照）。この場合には、式（Ｓ３）を満たすことにより光電池パネル（４）の受光効率をより向上させることができ、式（Ｓ４）を満たすことにより温度表示部（５）の表示温度がより見やすいものとなり、また式（Ｓ５）を満たすことにより収容ケース（２）のコンパクト化を図ることができる。中でも、１０°≦α≦５５°及び１０°≦β≦５５°並びにα＝βを満足する構成を採用するのが特に好ましい。
【００３５】
或いはまた、収容ケース（２）が止着手段（６）を介して水槽（９０）の側壁の内面（９１ａ）に止着された状態時において、
１５°≦α≦９０°      …式（Ｓ６）
０°＜β≦６０°        …式（Ｓ７）
α＞β                  …式（Ｓ８）
の３つの関係式が成立するように構成されるのが好ましい（図８、９参照）。この場合には、式（Ｓ７）を満たすことにより温度表示部（５）の表示温度がより見やすいものとなると共に、式（Ｓ６）及び式（Ｓ８）を満たすことにより光電池パネル（４）の受光効率を非常に高めることが可能となる。中でも、２０°≦α≦９０°及び１０°＜β≦５５°並びにα＞βを満足する構成を採用するのが特に好ましい。
【００３６】
なお、上記実施形態では、止着手段（６）は、収容ケース（２）の下方側に設けられていたが、特にこのような構成に限定されるものではなく、例えば収容ケース（２）の側方側に設けられていても良いし、或いは収容ケース（２）の上方側に設けられていても良い。ただ、光電池パネル（４）の受光効率をより向上させることができると共に温度表示部（５）の表示温度がより見やすくなる点で、止着手段（６）は収容ケース（２）の下方側に設けられているのが好ましい。
【００３７】
また、上記実施形態では、止着手段（６）としては、吸盤体（１１）を備えた構成が採用されていたが、特にこのような構成に限定されるものではなく、水槽（９０）の側壁（９１）に着脱自在に止着し得る手段であればどのようなものであっても良い。
【００３８】
また、上記実施形態では、光電池パネル（４）は、温度表示部（５）の上方側に配置されていたが、特にこのような構成に限定されるものではなく、例えば光電池パネル（４）は温度表示部（５）の下方側に配置されていても良いし、或いは一方が左側に他方が右側に配置された（同じ高さ位置の）構成であっても良い。
【００３９】
この発明に係る光発電型水中用温度計（１）は、上記実施形態のものに特に限定されるものではなく、請求の範囲内であれば、その精神を逸脱するものでない限りいかなる設計的変更をも許容するものである。
【図面の簡単な説明】
【００４０】
【図１】この発明に係る光発電型水中用温度計の一実施形態を示す斜視図である。
【図２】同じく正面図である。
【図３】同じく背面図である。
【図４】図１の水中用温度計を分離状態で示す斜視図である。
【図５】水中用温度計の水槽への取り付け状態の一例を示す斜視図である。
【図６】同取り付け状態での取付角度を説明するための側面図である。
【図７】この発明に係る光発電型水中用温度計の他の実施形態を示す斜視図である。
【図８】図７の水中用温度計を水槽へ取り付けた状態の取付角度を説明するための側面図である。
【図９】この発明に係る光発電型水中用温度計のさらに他の実施形態を水槽へ取り付けた状態で示す側面図である。
【符号の説明】
【００４１】
１…光発電型水中用温度計
２…収容ケース
３…水温センサ
４…光電池パネル
４ａ…光電池パネルの受光面
５…温度表示部
５ａ…温度表示部の表示面
６…止着手段
１１…吸盤体
９０…水槽
９１…側壁
９１ａ…側壁の内面
【図１】
2008295421.tif 000003
【図２】
2008295421.tif 000004
【図３】
2008295421.tif 000005
【図４】
2008295421.tif 000006
【図５】
2008295421.tif 000007
【図６】
2008295421.tif 000008
【図７】
2008295421.tif 000009
【図８】
2008295421.tif 000010
【図９】
2008295421.tif 000011